(57)【要約】【目的】  飾りプレートを簡単に取付基板に着脱させることができるようにする。【構成】  クリップ５２の脚体５４を取付基板１０の係止孔５０へ嵌入係止する。ここで、ストッパー６２ＷＯ体５４の軸線上に立設した状態とし、裏板３２の矩形孔６８を挿入する。次に、ストッパー６２をピン部６０回りに傾倒しながら、、長孔６６に沿ってスライドさせ、係合部６６Ａとピン部６０とを係合させる。これによって、ストッパー６２が矩形孔６８と直交し取付基板１０に飾りプレートの裏板３２が係止される。なお、飾りプレートの裏板３２を取り外す場合は、上記と逆の手順を踏めばよい。【選択図】        図５
2005131432.tif 000002
【特許請求の範囲】
【請求項１】
遊技機の取付基板に穿設された取付孔に弾性変形して嵌入係止される脚体と、前記脚体の上端に前記脚体の軸線と直交して配設された軸体と、前記軸体に孔端を軸支される長孔が形成されて前記軸体回りに傾倒可能とされ、前記長孔に前記軸体が係合する係合部が形成されたストッパーと、取付部品に穿設され前記ストッパーが前記脚体の軸線上に立設した状態で貫通可能な係止孔と、を有し、前記係止孔を前記脚体の軸線上に立設された前記ストッパーに挿入し、前記ストッパーを傾倒させ、前記ストッパーを前記長孔に沿ってスライドさせて前記軸体を前記係合部に係合させて前記係止孔を前記ストッパーから抜き出し不能とし、又は、前記ストッパーを前記長孔に沿ってスライドさせて前記軸体を前記係合部から前記孔端まで移動させ、前記ストッパーを前記脚体の軸線上に立設させて前記係止孔を前記ストッパーから抜き出し可能とすることを特徴とする取付部品の着脱構造。
【発明の詳細な説明】
【技術分野】
【０００１】
本発明は、遊技機の取付基板に取付けられる取付部品の着脱構造に関する。
【背景技術】
【０００２】
遊技機には種々のタイプがあるが、一般的には図７に示すような構造とされている。
【０００３】
すなわち、遊技機１００は、保持枠１０２を備えており、この保持枠１０２には薄板で積層構造とされた木製の取付基板１０４が嵌め込まれている。取付基板１０４の左右両端には、ランプが点灯する飾りプレート１０６が取付けられており、客に視覚的な興味を与えるようになっている。
【０００４】
また、取付基板１０４の中央部には、表示装置１０８が取付けられており、客の興味をそそるストーリーが展開される。この表示装置１０８の両側には、チャッカー１１０が、チャッカー１１０の下方には、チューリップ１１２が、さらに、表示装置１０８の下方には、センターチャッカー１１４が、それぞれ取付けられており、これらの入賞部品へ遊技玉が入賞すると所定個数の遊技玉を供給皿１１６あるいは受け皿１１８へ送り出す仕組みになっている。また、取付基板１０４の下部には、アタッカー１２０が取付けられており、大当たり場合にのみ断続的に開放し、多数の遊技玉を入賞させるようになっている。
【０００５】
ところで、図８に示すように、飾りプレート１０６には、釘孔１２２が穿設されており、所定の工具を使用して釘１２４で取付基板１０４に止められるようになっている。
【０００６】
しかしながら、釘止めは熟練と手間を要し、遊技機の組み立て時間の短縮化を図るのが困難である。また、取付基板１０４や飾りプレート１０６の補修・交換作業を行う場合、工具を用いて釘１２４を抜き取る必要があり、遊技場にとって極めて面倒な作業となっている。
【発明の開示】
【発明が解決しようとする課題】
【０００７】
本発明は上記事実を考慮し、飾りプレート等の取付部品を簡単に取付基板に着脱させることができるようにすることを目的とする。
【課題を解決するための手段】
【０００８】
請求項１に記載の取付部品の着脱構造は、遊技機の取付基板に穿設された取付孔に弾性変形して嵌入係止される脚体と、前記脚体の上端に前記脚体の軸線と直交して配設された軸体と、前記軸体に孔端を軸支される長孔が形成されて前記軸体回りに傾倒可能とされ、前記長孔に前記軸体が係合する係合部が形成されたストッパーと、取付部品に穿設され前記ストッパーが前記脚体の軸線上に立設した状態で貫通可能な係止孔と、を有し、前記係止孔を前記脚体の軸線上に立設された前記ストッパーに挿入し、前記ストッパーを傾倒させ、前記ストッパーを前記長孔に沿ってスライドさせて前記軸体を前記係合部に係合させて前記係止孔を前記ストッパーから抜き出し不能とし、又は、前記ストッパーを前記長孔に沿ってスライドさせて前記軸体を前記係合部から前記孔端まで移動させ、前記ストッパーを前記脚体の軸線上に立設させて前記係止孔を前記ストッパーから抜き出し可能とすることを特徴とする。
【０００９】
請求項１に記載の取付部品の着脱構造では、遊技機の取付基板に穿設された取付孔に弾性変形して脚体が嵌入係止される。脚体の上端には軸体が設けられており、ストッパーに形成された長孔の孔端を軸支している。
【００１０】
取付部品を取付けるときは、ストッパーを脚体の軸線上に立設させ、取付部品に穿設された係止孔へ貫通させる。ストッパーが係止孔を貫通した後、軸体回りにストッパーを傾倒し、さらに、長孔に沿ってスライドさせ、係止孔と直交するようにする。これによって、ストッパーが係止孔から抜け出し不能となり、取付部品が取付基板に取付けられる。なお、取付部品を取り外す際には、上記と反対の操作を行えばよい。
【発明の効果】
【００１１】
本発明は上記構成としたので、取付部品を簡単に取付基板に着脱させることができる。
【発明を実施するための最良の形態】
【００１２】
第１実施例に係る取付部品の着脱構造について説明する。
【００１３】
図１に示すように、木製の取付基板１０には、クリップ１２の脚部１４が嵌入係止される円孔１６が穿設されている。
【００１４】
図２に示すように、クリップ１２の脚部１４は、取付孔１６の開口縁を覆う円板状の基板１８から延出し断面形が十字状の支持体２０と、この支持体２０の外側部に形成された三角形状の窪みから略水平方向へ弾性変形可能に張り出し、円孔１６の孔壁の繊維層に食い込む複数の弾性片２２とを備えている。また、支持体２０の先端には、支持体２０を円孔１６へ案内する略半球状の案内部２４が設けられている。
【００１５】
一方、基板１８の上面には、リブ２６が半径方向へ延設されており、このリブ２６の中央部には、ストッパー２８が取付けられている。このストッパー２８は、図４に示すように、所定の捩じり強度に耐えうる肉厚を持った矩形板で下方の両端には若干丸みを帯びた突出部２８Ａが形成されている。
【００１６】
図２に示すように、取付部品としての飾りプレート３０のハット形の裏板３２には、ストッパー２０が貫通可能な長孔３４が穿設されている。この長孔３４の周辺部には、係止部３６が突設され、図２の状態から約９０度旋回された位置でストッパー２８の突出部２８Ａと当たりストッパー２８を位置決めするようになっている（図４参照）。
【００１７】
また、裏板３２のフランジ部３８には、突起４０が突設されており、取付基板１０の表面に形成された凹部４２へ係合されるようになっている。この突起４０と反対側にはリブ４４が形成され、飾りとしてのカバー４６（図４参照）が嵌め込まれるようになっている。
【００１８】
次に、飾りプレート３０の取付手順を説明する。
【００１９】
先ず、図２に示すように、取付基板１０の円孔１６に脚体１４を挿入して固定する。このとき、弾性片２２は弾性変形してその形状復帰力で脚体１４に抜去力を与える。
【００２０】
次に、図３に示すように、飾りプレート３０の裏板３２に穿設された長孔３４をストッパー２８に挿入する。次に、図４に示すように、ストッパー２８が長孔３４と直交するように、ストッパー２８の突出部２８Ａと係止部３６に当たるまで指で摘んで旋回させる。これによって、裏板３２がストッパー２８に係止される。このとき、弾性片２２は、円孔１６の孔壁の繊維層に食い込みながら旋回するので、強固に脚体１４が円孔１６に保持される。
【００２１】
飾りプレート３０を取り外す場合は、ストッパー２８を脚体１４と伴に９０度回転させ、長孔３４が抜き出し可能な位置で止めればよい。このように、本発明では、工具を使用せずに、取付基板１０の表面側から簡単に飾りプレート３０を取り外すことができる。
【００２２】
次に、第２実施例の取付部品の着脱構造について説明する。
【００２３】
図５及び図６に示すように、取付基板１０には、矩形状の係止孔５０が穿設されており、クリップ５２の脚体５４が嵌入係止されるようになっている。
【００２４】
この脚体５４の頭部には、円板状の基板５６が設けられている。この基板５６の中央部には、軸体５８が立設され、その上端には、互いに離れる方向へピン部６０が突設されている。このピン部６０には、箱形状のストッパー６２の側壁６４に長手方向へ形成された長孔６６の孔端が軸支されている。この長孔６６には、前記孔端と反対側の孔端に下方に落ち込む円形の係合部６６Ａが形成されており、図６に示すように、長孔６６がピン部６０に沿ってスライドした後、この係合部６６Ａがピン部６０と係合する。
【００２５】
一方、飾りプレートの裏板３２には、矩形孔６８が穿設されている。この矩形孔６８は、ストッパー６２が脚体５４の軸線上に立設した状態で貫通可能な大きさとされている。
【００２６】
次に、第２実施例の飾りプレートの取付手順を説明する。
【００２７】
図５に示すように、クリップ５２の脚体５４を取付基板１０の係止孔５０へ嵌入係止する。ここで、ストッパー６２ＷＯ体５４の軸線上に立設した状態とし、裏板３２の矩形孔６８を挿入する。
【００２８】
次に、図６に示すように、ストッパー６２をピン部６０回りに傾倒しながら、、長孔６６に沿ってスライドさせ、係合部６６Ａとピン部６０とを係合させる。
【００２９】
これによって、ストッパー６２が矩形孔６８と直交し取付基板１０に飾りプレートの裏板３２が係止される。なお、飾りプレートの裏板３２を取り外す場合は、上記と逆の手順を踏めばよい。
【００３０】
このため、従来のように、釘抜き等を使用して、飾りプレート３４を取り外す必要がなく、飾りプレート３４を傷付けることもない。
【図面の簡単な説明】
【００３１】
【図１】第１実施例に係る取付部品の着脱構造を示した斜視図である。
【図２】第１実施例に係る取付部品の取付手順を示した側断面図である。
【図３】第１実施例に係る取付部品の取付手順を示した側断面図である。
【図４】第１実施例に取付部品の取付手順を示した側断面図である。
【図５】第２実施例に係る取付部品の着脱構造を示した斜視図である。
【図６】第２実施例に係る取付部品の着脱構造を示した斜視図である。
【図７】遊技機の概略を示した正面図である。
【図８】従来の飾りプレートの取付構造を示した斜視図である。
【符号の説明】
【００３２】
１４    脚体
１６    円孔
３４    長孔
５４    脚体
５８    軸体
６２    ストッパー
６８    係止孔
【図１】
2005131432.tif 000003
【図２】
2005131432.tif 000004
【図３】
2005131432.tif 000005
【図４】
2005131432.tif 000006
【図５】
2005131432.tif 000007
【図６】
2005131432.tif 000008
【図７】
2005131432.tif 000009
【図８】
2005131432.tif 000010